(57)【要約】【課題】多段式の収納部を有するワゴンにおいて、いずれの収納部を引き出したときであってもワゴンに転倒の虞のないようにする。【解決手段】キャスター１２を備えたワゴン本体１３と、ワゴン本体１３に引き出し方向へ案内されつつワゴン本体１３から引き出されるキャスター１２付きの下段引出１５と、ワゴン本体１３から引き出せる上段引出１６とを備えている。そして、下段引出１５の前板１５Ａの上半部の背面側に、上段引出１６の前板１６Ａを対向配置している。  上段の引出１６を引き出す場合は、必ず下段の引出１５を引き出した後に引き出さなければならない。そのため、仮に上段の引出１６に重量物が収納されているような場合であっても、下段の引出１５がワゴン本体１３の支えとなり、決してワゴン本体１３が転倒するようなことはない。【選択図】  図１
2005095380.tif 000002
【特許請求の範囲】
【請求項１】
キャスター付きワゴン本体と、ワゴン本体に引き出し方向へ案内されつつワゴン本体から引き出されるキャスター付き下段引出と、ワゴン本体から引き出せる上段引出とを備え、下段引出の前板の上半部の背面側に、上段引出の前板を対向配置したことを特徴とするトールワゴン。
【請求項２】
キャスター付きワゴン本体と、ワゴン本体に引き出し方向へ案内されつつワゴン本体から引き出されるキャスター付き下段引出と、ワゴン本体から引き出せる上段引出とを備え、上段引出の前板に、下段引出の前板の背面側に係合する部分を設けたことを特徴とするトールワゴン。
【請求項３】
上段引出が多段式になっている請求項１に記載のトールワゴン。
【発明の詳細な説明】
【技術分野】
【０００１】
本発明は、キャスターを備えた移動式のワゴンにおいて、収納部を多段式とし、しかも上段の収納部を引き出したときに、該上段の収納部に重心のバランスを失うような重量物が収納されている場合であっても、ワゴンが転倒しないようにしたトールワゴンに関するものである。
【背景技術】
【０００２】
多段式の収納部を備えた収納具としては、例えば、特許文献１及び特許文献２に記載されたようなものがある。特許文献１に記載された発明は、図４に示す通りであって、キャスター１を底面に有する移動式のキャビネット（ワゴン）２に関するものである。このキャビネット２は、内部の収納空間３の下方側に下部引出４を有し、上方側に上部引出５を有している。下部引出４の前方側底面にはキャスター１が取り付けられており、下部引出４を同図に示すように大きく引き出したときに、キャビネット２がバランスを崩さないようにしている。そして、上下の引出４及び５の各前板４Ａ，５Ａは、収納状態において同一平面となるように設計されており、上部引出５のみを又は下部引出４のみをそれぞれ個別に引き出すことができるようになされている。
【０００３】
一方、特許文献２に記載された発明は、図５に示す通りであって、その背面側を壁面へ密着配置された洗面化粧台６の技術に関するものである。この洗面化粧台６は、収納空間７内にキャスター１によって移動自在なワゴン８を配設している。そして、ワゴン８の前板８Ａの背面側で、収納空間７内におけるワゴン８の収納部９の上方に、上部引出１０を配設し、ワゴン８が収納空間７内へ格納されている状態にあっては、上部引出１０の前板１０Ａはワゴン８の前板８Ａの後ろに隠れて外部から見えないようになっている。
【特許文献１】特開２００３−１１１６２１号公報
【特許文献２】特開２００２−１６５６５２号公報
【発明の開示】
【発明が解決しようとする課題】
【０００４】
ところが、特許文献１に記載された発明は、上下の引出４及び５が単独で引き出せるようになっているため、上部引出５のみを引き出したときに、この上部引出５内の収納物の重量が重たい場合に、キャビネット２の全体の重量バランスが崩れ、キャビネット２が前面側に転倒する虞があり、危険であった。
【０００５】
一方、特許文献２にあっては、下方のワゴン８が移動式であるため、ワゴン８が収納空間７から外部へ移動しているときに、上部引出１０を引き出しと、上記特許文献１の場合と同じように、洗面化粧台６の全体の重量バランスが崩れ、洗面化粧台６が壁面に対して固定されていない状態ではやはり前面側へ転倒する虞があった。
【０００６】
本発明は従来の前記課題に鑑みてこれを改良除去したものであって、多段式の収納部を有するワゴンにおいて、いずれの収納部を引き出したときであってもワゴンに転倒の虞のない技術を提供せんとするものである。
【課題を解決するための手段】
【０００７】
而して、前記課題を解決するために本発明が採用した請求項１の手段は、キャスター付きワゴン本体と、ワゴン本体に引き出し方向へ案内されつつワゴン本体から引き出されるキャスター付き下段引出と、ワゴン本体から引き出せる上段引出とを備え、下段引出の前板の上半部の背面側に、上段引出の前板を対向配置したことを特徴とするトールワゴンである。
【０００８】
本発明が採用した請求項２の手段は、キャスター付きワゴン本体と、ワゴン本体に引き出し方向へ案内されつつワゴン本体から引き出されるキャスター付き下段引出と、ワゴン本体から引き出せる上段引出とを備え、上段引出の前板に、下段引出の前板の背面側に係合する部分を設けたことを特徴とするトールワゴンである。
【０００９】
本発明が採用した請求項３の手段は、上段引出が多段式になっている請求項１に記載のトールワゴンである。
【発明の効果】
【００１０】
前記請求項１の発明にあっては、キャスター付きの下段引出を使用する場合は、これを単独で引き出せばよい。下段引出は、キャスターを有しているため、下段引出自体が床面と直接接合しており、下段引出に重量物が収納されている場合であっても、ワゴン本体の重量バランスが崩れるというようなことはない。一方、上段の引出は、その前板が下段引出の前板の背面側に配置されているため、上段の引出を引き出す場合は、必ず下段の引出を引き出した後に引き出さなければならない。そのため、仮に上段の引出に重量物が収納されているような場合であっても、下段の引出がワゴン本体の支えとなり、決してワゴン本体が転倒するようなことはない。
【００１１】
請求項２の発明は、上段引出の前板に、下段引出の前板の背面側に係合する部分を設けたことで、上段引出を引き出す場合は、先に下段引出が引き出されるようにしている。従って、この発明の場合も、請求項１の発明と同様に、仮に上段引出に重量物が収納されているような場合であっても、下段引出がワゴン本体の支えとなり、決してワゴン本体が転倒するようなことはない。
【００１２】
請求項３の発明は、上段引出が多段式になっている。これは使用時の便宜を図ったものである。基本的な作用効果については、前記請求項１の発明の場合と同じである。
【発明を実施するための最良の形態】
【００１３】
以下に、本発明の構成を図面に示す発明の実施の形態に基づいて説明すると次の通りである。図１は、本発明の第１の実施の形態に係るトールワゴン１１の縦断面側面図である。同図に示す如く、トールワゴン１１は、キャスター１２を底面に有するワゴン本体１３と、ワゴン本体１３内の収納空間１４に格納され、引き出し方向へ案内されつつワゴン本体１３から引き出されるキャスター１２を前部側底面に有する下段引出１５と、ワゴン本体１３内の収納空間１４の上部側に配設され、ワゴン本体１３から引き出される上段引出１６とで構成されている。そして、前記上段引出１６は、その前板１６Ａが、下段引出１５の前板１５Ａの上半部の背面側になるように配設されている。
従って、上下の引出１５及び１６がワゴン本体１３の収納空間１４に格納された状態にあっては、下段引出１５の前板１５Ａのみが外部から見え、上段引出の前板１６Ａ及び上段引出１６の全体は下段引出１５の前板１５Ａの背面側に隠れて見えないようになっている。
【００１４】
次に、このように構成されたトールワゴン１１の使用態様について説明する。下段引出１５の使用は、単独使用ができるようになっている。すなわち、下段引出１５の前板１５Ａは、上段引出１６の前板１６Ａの前面側に位置しており、下段引出１５の引き出し動作に際して、上段引出１６の前板１６Ａが干渉するようなことはなく、引き出しは自由である。また下段引出１５は、キャスター１２をその底面の前部側（図１の左側）に有しているため、キャスター１２が床面上を滑走して引き出され、下段引出１５は床面に支持された状態で引き出されることになる。従って、下段引出１５に重量物が収納されている場合であっても、ワゴン本体１３の重量バランスが崩れるというようなことはない。
【００１５】
一方、上段引出１６は、前述した通り、その前板１６Ａが下段引出１５の前板１５Ａの背面側に位置するように配置されているため、上段引出１６を引き出す場合は、必ず下段引出１５を引き出した後に引き出さなければならない。このように上段引出１６の使用は、必ず下段引出１５を引き出した後にしか行えないように構成している。そのため、上段引出１６を引き出した状態では、下段引出１５は図１の実線で示す状態になり、底面前部側のキャスター１２が床面に接してワゴン本体１３の全体の支えとなり、極めて安定した状態となる。
【００１６】
またこの上段引出１６を引き出した状態では、仮に上段引出１６に重量物が収納されているような場合であっても、上段引出１６は下段引出１５のキャスター１２とワゴン本体１３のキャスター１２との間に位置するようになり、これらのキャスター１２によって安定した支持状態が得られる。つまり、上段引出１６に重量物が収納されている状態で上段引出１６を引き出した場合でも、ワゴン本体１３がバランスを失って転倒するようなことはない。
【００１７】
図２は本発明の第２の実施の形態に係るトールワゴン１７を示す側面図である。同図に示す如く、この実施の形態にあっては、ワゴン本体１８内の収納空間１９に下段引出２０と上段引出２１とが上下二段に配設され、それぞれが引き出し自在に格納されている。また下段引出２０の前板２０Ａと、上段引出２１の前板２１Ａとは同一平面となるように配置されている。而して、上段引出２１の前板２１Ａの下部には、下段引出２０の前板２０Ａの上半部背面側に当接し得る係合突出部２１Ｂが形成されている。
なお、ワゴン本体１８と下段引出２０の底面側には、前記第１の実施の形態の場合と同じようにキャスター１２が取り付けられている。
【００１８】
このように構成されたトールワゴン１７にあっては、上下の段の引出２０及び２１が収納空間１９に収納されている状態では、それぞれの引出２０及び２１の前板２０Ａ，２１Ａは、ワゴン本体１８の前面側で同一平面を構成すべく上下に整列して存在している。そして、この実施の形態の場合も下段の引出２０は、単独での使用が可能であり、上段引出２１とは別に、独立して引き出し自在である。
【００１９】
一方、上段引出２１は、これを引き出すと、その前板２１Ａの下部側に形成された係合突出部２１Ｂが下段引出２０の前板２０Ａの背面側に接合係止し、上段引出２１の引き出しは、下段引出２０の引き出し動作を伴うようになる。そのため、前記第１の実施の形態の場合と同じように、上段引出２１を引き出した状態では、上段引出２１は下段引出２０のキャスター１２とワゴン本体１８のキャスター１２との間に位置するようになり、これらのキャスター１２によって安定した支持状態が得られる。つまり、上段引出２１に重量物が収納されている状態で上段引出２１を引き出した場合でも、ワゴン本体１８がバランスを失って転倒するようなことはない。
【００２０】
図３は本発明の第３の実施の形態に係るトールワゴン２２を示す斜視図である。同図に示す如く、このトールワゴン２２は、ワゴン本体２３内の収納空間２４に下段引出２５及び上段引出２６を引き出し自在に取り付け、上段引出２６の前板２６Ａが下段引出２５の前板２５Ａの背面側に位置するように配設している。そして、下段引出２５の前板２５Ａのうち、上段引出２６の前板２６Ａの把手２６Ｂの領域に相当する部分に切欠凹部２７を形成し、下段引出前板２５Ａの両端側に、上段引出前板２６Ａの前面側へ当接することのできる係合突出部２８，２８を設けている。
【００２１】
このように構成された第３の実施の形態に係るトールワゴン２２では、把手２６Ｂを持って上段引出２６を手前側へ引き出すと、その前板２６Ａが下段引出前板２５Ａに設けた係合突出部２８，２８の背面側に接合し、下段引出２５を一体的且つ同時に引き出すようになる。下段引出２５はその底面の前部側にキャスター１２を有しており、床面に直接支持されているので、上段引出２６に重量物が収納されている状態であっても、ワゴン本体２３がバランスを失って転倒するようなことはない。
把手２５Ｂを持って下段引出２５を手前側へ引き出した場合は、この下段引出２５のみを単独で引き出すことが可能である。
【００２２】
ところで、本発明は上述した実施の形態に限定されるものではなく、適宜の変更が可能である。例えば、図１に示す第１の実施の形態において、収納空間１４が下段引出１５の上方に大きく空いているような場合には、上段の引出を多段式に構成することも可能である。その場合に、これらの各上段引出の全ての前板が下段引出１５の前板１５Ａの背面側に位置するようにすればよい。これは、図３に示す実施の形態の場合も同じである。
一方、図２に示す実施の形態において、上段引出を多段式にし、各上段引出の前板下部に下位の上段引出の前板背面側に接合し得る係合突出部を設けるようにすれば、これらの上段引出の引き出しに際し、下段引出の引き出しを同時に行うようになり、同様の作用効果を得ることが可能である。
【産業上の利用可能性】
【００２３】
本発明の上下の引出の構成は、独立して移動できるワゴンタイプの家具以外にも、キッチンキャビネットや洗面化粧台、その他の固定式のキャビネットへ適用することも可能である。
【図面の簡単な説明】
【００２４】
【図１】本発明の第１の実施の形態に係るトールワゴンの縦断面側面図である。
【図２】本発明の第２の実施の形態に係るトールワゴンの側面図である。
【図３】本発明の第３の実施の形態に係るトールワゴンの斜視図である。
【図４】特許文献１に記載されたキャビネットの縦断面側面図である。
【図５】特許文献２に記載された洗面化粧台の縦断面側面図である。
【符号の説明】
【００２５】
１１…トールワゴン、１２…キャスター、１３…ワゴン本体、１４…収納空間、１５…  下段引出、１５Ａ…下段引出前板、１６…上段引出、１６Ａ…上段引出前板、１７…ト  ールワゴン、１８…ワゴン本体、１９…収納空間、２０…下段引出、２０Ａ…下段引出  前板、２１…上段引出、２１Ａ…上段引出前板、２１Ｂ…係合突出部、２２…トールワ  ゴン、２３…ワゴン本体、２４…収納空間、２５…下段引出、２５Ａ…下段引出前板、  ２６…上段引出、２６Ａ…上段引出前板、２７…切欠凹部、２８…係合突出部
【図１】
2005095380.tif 000003
【図２】
2005095380.tif 000004
【図３】
2005095380.tif 000005
【図４】
2005095380.tif 000006
【図５】
2005095380.tif 000007